(57)【要約】  制御ユニットを介して、電力ネットワークから、負荷に電圧を加えるためのシステムおよび方法を提供すること。前記システムは、それぞれが、接続要素１０に電気的に結合されたそれぞれの隣接する負荷の電圧を遮断したり該負荷に電圧を加えたりして電源スイッチ１１を開閉状態に導くために、それぞれの電源スイッチ１１に動作可能に接続された処理ユニット１２を含む接続要素１０と、負荷に電圧を加えるために電力ネットワーク２に接続され、接続要素１０と制御ユニット３の共用である加電圧手段を画成する１対の電気導線２１と、電力ネットワーク２から電気的に絶縁されておらず、処理ユニット１２と制御ユニット３の共用であり、制御ユニット３が処理ユニット１２を介して、コーディングされた電気信号によって各それぞれの電源スイッチ１１の開閉を指示することができるようにするために処理ユニット１２および制御ユニット３を接続する信号導線２２とを備える。
2007536885.tif 000002
【特許請求の範囲】
【請求項１】
制御ユニットを介して負荷に電圧を加えるためのシステムであって、前記負荷が電力ネットワークから電圧を加えられ、
それぞれが、電源スイッチ（１１）と、接続要素（１０）に電気的に結合されたそれぞれの隣接する負荷の電圧を遮断したり該負荷に電圧を加えたりして電源スイッチを開状態および閉状態に導くために、電源スイッチに動作可能に接続された処理ユニット（１２）とを備えた接続要素（１０）と、
電力ネットワーク（２）に接続されて、接続要素（１０）と制御ユニット（３）の共用である加電圧手段を画成するように配置された１対の電気導線（２１）と、
電力ネットワーク（２）から電気的に絶縁されておらず、処理ユニット（１２）と制御ユニット（３）の共用であり、制御ユニット（３）が処理ユニット（１２）を介して、コーディングされた電気信号によって各それぞれの電源スイッチ（１１）の開閉を指示することができるようにするために処理ユニットおよび制御ユニットを接続する信号導線（２２）と
を備えることを特徴とする、システム。
【請求項２】
各接続要素（１０）が、信号導線（２２）を介した制御ユニット（３）と各処理ユニット（１２）の間のシリアル通信に同期性を与えるために、それぞれの処理ユニット（１２）に関連付けられた、電力ネットワーク（２）のゼロ電圧を検出するためのセンサ（１６）を備えることを特徴とする、請求項１に記載のシステム。
【請求項３】
信号導線（２２）が、１対の電気導線（２１）に沿って配置されることと、それらが全ての接続要素（１０）および制御ユニット（３）を通って一緒に進むことを特徴とする、請求項１に記載のシステム。
【請求項４】
信号導線（２２）が、制御ユニット（３）を、前記加電圧システムを備えた電気器具の動作条件を表す信号を提供する少なくとも１つのセンサ（１６）に接続することを特徴とする、請求項１に記載のシステム。
【請求項５】
各接続要素（１０）が、それぞれが１対の電気導線（２１）から、また信号導線（２２）から選択された導線を取り外し可能に結合するインレット端子（１３）であって、電気導線（２１）に関連付けられたインレット端子（１３）のうちの１つが電源スイッチ（１１）に動作可能に接続されるインレット端子（１３）と、アウトレット端子（１４）であって、それらのうちの１つが前記電源スイッチ（１１）に動作可能に接続され、その他がその他のインレット端子（１３）に直接接続され、それぞれの負荷に取り外し可能に結合されるアウトレット端子（１４）とを収容するボディを備えることを特徴とする、請求項１に記載のシステム。
【請求項６】
各接続要素（１０）が、接続要素（１０）の低電圧での加電圧の動作、および前記処理ユニット（１２）と制御ユニット（３）の間の双方向シリアル通信の動作のうちの少なくとも１つを可能にするために、加電圧インレット端子（１３）、通信インレット端子（１３）および処理ユニット（１２）に動作可能に接続されたシリアルインターフェース（１５）をさらに備えることを特徴とする、請求項１に記載のシステム。
【請求項７】
制御ユニット（３）に結合された接続要素（１０）が、加電圧インレット端子（１３）のうちの１つに電気的に接続されたインレットを有する電源（１７）を備え、その結果、制御ユニット（３）が負荷に動作可能に結合された接続要素（１０）との双方向シリアル通信の動作、および接続要素（１０）への通信信号導線（２２）を介した低電圧の供給を可能にすることを特徴とする、請求項６に記載のシステム。
【請求項８】
負荷に動作可能に結合された接続要素（１０）がそれぞれ、双方向シリアル通信の動作、および通信信号導線（２２）からそれぞれの接続要素（１０）の内部回路への低電圧での電源電圧の抽出の動作を可能にするシリアルインターフェース（１５）を備えることを特徴とする、請求項６に記載のシステム。
【請求項９】
負荷に動作可能に関連付けられた各接続要素（１０）が、加電圧インレット端子（１３）のうちの１つに電気的に接続されたインレット、およびそれぞれの接続要素（１０）の内部回路に電気的に接続されたアウトレットを有する電源（１７）を備えることを特徴とする、請求項７に記載のシステム。
【請求項１０】
制御ユニットを介して負荷に電圧を加えるための方法であって、前記負荷が電力ネットワークから電圧を加えられ、
ａ  １対の電気導線（２１）によって電力ネットワーク（２）を制御ユニット（３）に接続するステップと、
ｂ  各負荷を前記１対の電気導線（２１）にそれぞれの電源スイッチ（１１）を介して電気的に接続するステップと、
ｃ  前記それぞれの電源スイッチ（１１）を開状態および閉状態に導くように設計されたそれぞれの処理ユニット（１２）を各電源スイッチ（１１）に動作可能に関連付けるステップと、
ｄ  前記処理ユニット（１２）を介してそれぞれの電源スイッチ（１１）の開状態および閉状態を指示するために、電力ネットワーク（２）から電気的に絶縁されておらず、前記ユニットの共用である、ただ１つの単一導線（２２）を介して、制御ユニット（３）を処理ユニット（１２）に接続するステップと
を備えることを特徴とする、方法。
【請求項１１】
ステップ「ｄ」では、電源スイッチ（１１）を動作させるための指示が、電力ネットワーク電圧がゼロを通過するとき同期されることを特徴とする、請求項１０に記載の方法。
【発明の詳細な説明】
【技術分野】
【０００１】
本発明は、制御ユニットによって、冷蔵庫、冷凍庫、洗濯機などの家庭電気器具に備えられた負荷を制御するための加電圧および双方向シリアル通信を可能にするシステムおよび方法に関する。
【背景技術】
【０００２】
ほとんどの家庭電気器具は、機器の動作に不可欠であり、プロセス要求に応じて機器に電圧を供給するまたはしない制御ユニットによって一般に指令される、たとえばランプ、ファン、バルブ、モータなど、システム全体に分散された多数の電気負荷を有する。負荷の加電圧制御は、電圧を電力ネットワークから受け取りそれを適当な電気ケーブルを通して負荷に分配するパワーユニット内に一般に配置されている電磁リレーなどの半導電性電気機械ＡＣスイッチまたはトライアックＡＣスイッチによって行われる。図１は、電力ネットワーク２に動作可能に接続された冷蔵庫１の電気接続の典型的な図を示し、制御ユニット３、パワーユニット４、ファン５、デフロストレジスタンス６、内部ランプ７およびコンプレッサ８を含む。この図から分かるように、システム内のいくつかの負荷の存在は機器全体にわたって分散された多数のケーブル９を必要とし、負荷と配線の数が大きいほどシステムの複雑さが高くなることに留意すると、電磁ノイズ、配線コストを増大し、取付け工程を困難にする。
【０００３】
負荷の分散に関する前述の問題を低減するために、自動車業界は、システムの各負荷用の個別ケーブルをなくすことを目指して、シリアル通信規格を開発してきた。上記規格のうち、ＣＡＮ規格は最もよく知られている。システムがハイスピードまたはハイデータフローを必要としない利用形態には、いわゆるＬＩＮ規格が開発された。上記利用形態では、電圧は、ローカル電源スイッチを有する負荷に直接供給され、制御ユニット２は、シリアル通信を介して負荷の選択的加電圧を指令する。どちらのシリアル通信規格ででも、通信に使用される信号のレベルは、ＡＣ電力ネットワークの電圧のレベルとは違う。したがって、家庭電気器具における利用形態では、信号の変換のための特別回路、およびシリアル通信専用の２本の追加導線の設置が利用されるべきである。
【０００４】
Ｘ−１０として知られているシリアル通信規格は、電力ネットワーク上で高周波信号を変調することによる直接電力ネットワークを通したシリアル通信を明記しており、この信号は一般に、家庭内の電気器具間の通信の確立のため、またはインターネットにアクセスするために使用され、電話やネットワークケーブルの設置を不要にする。上記規格の大きな欠点は、通信信号を電力ネットワークから分離するための通常複雑で比較的高価なフィルタ回路を必要とすることである。
【０００５】
さらに、ＡＳ−ｉとして知られている工業通信規格もあり、その原理は前述のＸ−１０のものと同様であり、電源電圧および通信は異なる周波数スペクトルで同じ導線を通って進み、この場合電源電圧はＤＣで、通常２４Ｖｄｃである。ＡＳ−ｉ規格は、センサおよびアクチュエータを備えた産業用通信ネットワークに広く使用されている。
【０００６】
既存の通信規格のいくつかの基本的説明から、それらは全て、信号を分離および／または処理する仕事を実行するために複雑な専用電子回路を必要とするが、この専用電子回路は、コストが優勢な要素でありハイスピードまたは送信されるデータのハイフローを必要としないシステムでは使用不可能になると結論を下すことができる。
【発明の開示】
【発明が解決しようとする課題】
【０００７】
したがって、本発明の一目的は、家庭電気器具に備え付けられた負荷のために、シリアル通信ネットワークから、簡単で強力なトポロジを有し、低コストであって、前記家庭電気器具の製造組立てコストを低減し、組立てを簡単にし、前記電気器具の製造に必要なステップを低減することを可能にし、前記電気器具に大規模に使用されることができる、制御ユニットを介して負荷に電圧を加えるシステムを提供することである。
【０００８】
本発明の他の目的は、前記システムのモジュール化および拡張を可能にする、上で述べたようなシステムを提供することである。
【０００９】
本発明の他の目的は、各プロジェクト専用のボックスおよびパワーユニットの使用を不要にすることができる上に述べたようなシステムを提供することである。
【００１０】
本発明の他の目的は、制御ユニットを介して負荷に電圧を加えるための方法であって、前記負荷は電気器具に配置されていて、現在使用されているシステムの組立てを簡単にすることができる方法を提供することである。
【００１１】
本発明の他の目的は、低コストのマイクロコントローラを用いて実施されることができる上に述べたような方法を提供することである。
【課題を解決するための手段】
【００１２】
本発明のこれらおよびその他の目的は、制御ユニットを介して負荷に電圧を加えるためのシステムによって達成され、前記負荷は電力ネットワークから電圧を加えられ、前記システムは、それぞれが電源スイッチと、接続要素に電気的に結合されたそれぞれの隣接する負荷の電圧を遮断したり該負荷に電圧を加えたりして電源スイッチを開状態および閉状態に導くために、電源スイッチに動作可能に接続された処理ユニットとを備える接続要素と、電力ネットワークに接続されて、接続要素と制御ユニットの共用である加電圧手段を画成するように配置された１対の電気導線と、電力ネットワークから電気的に絶縁されておらず、処理ユニットと制御ユニットの共用であり、制御ユニットが処理ユニットを介して、コーディングされた電気信号によって各それぞれの電源スイッチの開閉を指示することができるようにするために、処理ユニットおよび制御ユニットを接続する信号導線とを備える。
【００１３】
本発明によれば、前記負荷に電圧を加えるためのシステムは、ａ−１対の電気導線によって電力ネットワークを制御ユニットに接続するステップと、ｂ−各負荷を前記１対の電気導線にそれぞれの電源スイッチを介して電気的に接続するステップと、ｃ−前記それぞれの電源スイッチを開状態および閉状態に導くように設計されたそれぞれの処理ユニットを各電源スイッチに動作可能に関連付けるステップと、ｄ−前記処理ユニットを介してそれぞれの電源スイッチの開状態および閉状態を指示するために、電力ネットワークから電気的に絶縁されておらず、前記ユニットの共用であるただ１つの単一導線を介して、制御ユニットを処理ユニットに接続するステップとを含む方法によって動作する。
【００１４】
本発明は、例としてのみ提供された添付の図面を参照しながら以下で説明される。
【発明を実施するための最良の形態】
【００１５】
上記の説明および添付の図面によれば、本発明の制御ユニットを介して負荷に電圧を加えるためのシステムは、冷蔵庫１などの冷蔵機器に利用され、電圧を加えられるべき負荷は、図１および２に示されているように、また上で述べられたように、電力ネットワーク２に動作可能に接続された制御ユニット３、ファン５、デフロストレジスタンス、内部ランプ７、およびコンプレッサ８を備える。
【００１６】
しかし、前記システムの発明概念は、中央制御ユニットの指令によってその負荷が電圧を加えられるどんな機器にも適用されることができる。
【００１７】
本発明の制御ユニットを介して負荷に電圧を加えるためのシステムは、以下で説明されるように、それぞれが、電源スイッチ１１と、接続要素１０に電気的に結合されたそれぞれの隣接する負荷の電圧を遮断したり該負荷に電圧を加えたりして電源スイッチ１１を開状態および閉状態に導くために、電源スイッチ１１に動作可能に接続された処理ユニット１２とを有する電子回路を備える接続要素１０を備える。冷蔵庫１では、各負荷は、以下の構成要素、すなわちファン５、デフロストレジスタンス６、内部ランプ７、およびコンプレッサ８のうちの１つによって表されることができる。
【００１８】
本発明によれば、各接続要素１０は、少なくとも３本の線を有するケーブル２０に接続されることができ、これらの線のうちの２本は、電力ネットワーク２に接続され、接続要素１０と制御ユニット３の共用である電圧を加える手段を画成するように配置された１対の電気導線２１を画成し、第３の線は、電力ネットワーク２から電気的に絶縁されておらず、双方向シリアル通信に関し、処理ユニット１２と制御ユニット３の共用であり、制御ユニット３が処理ユニット１２を介してコーディングされた電気信号によって各それぞれの電源スイッチ１１の開閉を指示することができるようなやり方で処理ユニットおよび制御ユニットを接続する信号導線２２を画成する。
【００１９】
本発明のケーブルの１対の電気導線２１および信号導線２２は、本加電圧システムを備えた電気器具の複数の負荷それぞれを通って進むように設計され、各前記負荷は、図２に示されているように、それぞれの接続要素１０を介して前記導線に接続される。したがって、図１に示された従来技術の構成で見受けられるような、通常制御ユニット３を負荷に相互接続するいくつかの個別ケーブルは除去され、その結果、前記電気器具全体に分散された線のより少ない量の存在のほかに、本発明の接続要素１０は、ケーブルに迅速に結合されることができる最適化された接続システムを備えることができるので、本発明の加電圧システムを備えた電気器具の組立てラインにおける前記ケーブルの取付けステップが容易になる。各個別負荷のスイッチをオンおよびオフにする指令は、システムのどの部分に配置されてもよい制御ユニット３によって実行される。
【００２０】
本発明のシリアル通信は、非同時双方向タイプ、すなわち半二重タイプ、マスタおよびスレーブのものであり、制御ユニット３はマスタであり、各接続要素１０はスレーブであり、マスタによって送信された指令にだけ応答する。
【００２１】
本発明によれば、信号導線２２は、１対の電気導線２１に沿って配置され、前記導線のアセンブリを画成するケーブル２０は、全ての接続要素１０および制御ユニット３を通る。
【００２２】
本発明の構成では、接続要素１０は、それぞれが１対の電気導線２１と信号導線２２から選択された導線を取り外し可能に結合するインレット端子１３であって、電気導線２１に関連付けられたインレット端子１３のうちの１つは電源スイッチ１１に動作可能に接続されるインレット端子１３と、アウトレット端子１４であって、それらのうちの１つは前記電源スイッチ１１に動作可能に接続され、その他はその他のインレット端子１３に直接接続され、それぞれの負荷に取り外し可能に結合される前記アウトレット端子１４とを収容するボディを備える。
【００２３】
インレット端子１３は、たとえば、穴あきタイプのものなど迅速結合に適しているタイプのものでよい。
【００２４】
各接続要素１０は、接続要素１０の低電圧での加電圧の動作、および前記処理ユニット１２と制御ユニット３の間の双方向シリアル通信の動作のうちの少なくとも１つを可能にするために、電源スイッチ１１および処理ユニット１２の他に、加電圧インレット端子１３、通信インレット端子１３および処理ユニット１２に動作可能に接続されたシリアルインターフェース１５をそれぞれのボディの内部に装備されてさらに備える。
【００２５】
各接続要素１０は、信号導線２２を介した制御ユニット３と各処理ユニット１２の間の通信に同期性を与えるために、それぞれの処理ユニット１２に関連付けられた、電力ネットワーク２のゼロ電圧を検出するためのセンサ１６をさらに備える。
【００２６】
図３および５に示された特定の構成形態では、スレーブタイプの接続要素１０、すなわち制御ユニット３に結合されているもの以外の接続要素１０は、回路の消費量が非常に少ないので、好ましくは容量性タイプの電源１７をさらに備え、前記電源１７は、加電圧インレット端子１３の１つに電気的に接続されたインレット、および接続要素１０の内部電子回路に電気的に接続されたアウトレットを有する。この実施形態では、各接続要素１０の加電圧は１対の電気導線を介して発生し、信号導線２２は制御ユニット３と各接続要素１０の間の通信信号の双方向伝送だけを動作させる。スレーブタイプの接続要素１０のこの構成では、制御ユニット３に関連付けられたマスタタイプの接続要素１０は、シリアルインターフェース１５に接続されたその電源１７のアウトレットを提供する必要はない。
【００２７】
図４および６に示された解決策では、スレーブタイプの接続要素１０は電源１７を有しない。この実施形態では、各接続要素１０の加電圧は、各接続要素１０の制御ユニット３と処理ユニット１２の間の双方向シリアル通信を提供する機能、およびそれぞれの接続要素１０に電圧を加える機能を有する信号導線２２を介して行われ、前記の機能は選択的であり、制御ユニット３の命令によって適時に交互に変えられ、電力ネットワークの周波数がゼロを通り過ぎるときに実行される。この構成では、スレーブタイプの各接続要素１０は、双方向のシリアル通信の動作を可能にし、また通信信号導線２２からそれぞれの接続要素１０の内部回路に低電圧で電源電圧を抽出することも可能にするシリアルインターフェース１５を備える。
【００２８】
スレーブタイプの接続要素１０のこの構成では、制御ユニット３に結合された接続要素１０は、加電圧インレット端子１３の１つに電気的に接続されたインレット、およびシリアルインターフェース１５に電気的に接続されたアウトレットを有する電源１７を備え、その結果、制御ユニット３は負荷に動作可能に結合された接続要素１０との双方向シリアル通信の動作、および接続要素１０への通信信号導線２２を介した低電圧の供給を可能にする。この解決策によって、回路のサイズおよびコストを低減することが可能であり、その大規模な使用がさらにいっそう実行可能になる。
【００２９】
図５は、電源１７を提供するタイプの接続要素１０のための回路の構成形態を示す。この構成によれば、回路がデータを送信していない状態では、シリアルインターフェース１５の第１トランジスタＱ１は開状態で、前記図５で「Ａ」によって示されている通信端子１３は、シリアルインターフェース１５の第５レジスタＲ５を介して、−Ｖｃｃの電圧レベルに導かれる。データの送信は、接続要素１０の処理ユニット１２が、送信されるビットに応じて電圧レベルをポイントＡから０Ｖまたは−Ｖｃｃに導き、Ｐ３によって示された処理ユニット１２のアウトレットから第１トランジスタＱ１の開閉状態の１つを指示した場合に発生する。データの読み出しは、図５に示されているように、前記データが、ノイズが処理ユニット１２まで進まないようにする、第１コンデンサＣ１によっておよび第４レジスタＲ４によって形成されたフィルタを通り過ぎた後で、処理ユニット１２のデジタルインレットＰ４によって行われる。この回路は、低速非同期シリアル通信を提供するが、また、処理ユニット１２の入力信号Ｐ１を適用することによって、センサ１６の第１レジスタＲ１から、ならびに前記センサ１６の第１および第２保護ダイオードＤ１およびＤ２から得られた同期性のための電力ネットワークの電圧を使用して、同期通信の実施も可能にする。
【００３０】
電力ネットワーク２を介した同期化の利点は、厳密なタイミング制御は必要がないので、シリアル通信のためのソフトウェアの簡素化であり、その結果、低コストのマイクロコントローラの形での処理ユニットの使用が可能になる。
【００３１】
欧州特許公開第０７１１０１８号明細書は、電源を介して、しかし負荷間の通信のためには２本以上の線を通常に使用することによって、同期化が発生する解決策を開示しているが、前記解決策は、前記解決策によって意図された利用形態のための設置安全要件に応じて電流が前記線を通るのを回避するために、前記線が電気的に絶縁されていることを必要とする。
【００３２】
図６は、電源１７が示されていない構成変形形態の電子回路図を示す。この構成では、回路は、双方向シリアル通信のための手段として機能するほかに接続要素１０の内部回路に電流を供給する機能を有する信号導線２２から得ることができる電圧を供給される。
【００３３】
同時データ多重化および供給の従来技術と違って、本発明の解決策は、回路の通信と加電圧の間の信号導線２２内の時間を分割することを可能にする。
【００３４】
データ送信は、すでに説明されたように、第１トランジスタＱ１の選択的開閉時に発生し、通信回線の電圧を、送信されるビットに応じて強制的に０Ｖまたは−Ｖｃｃにし、この間隔では、図６に示された接続要素１０の第２トランジスタＱ２は、電圧−Ｖｃｃの処理ユニット１２のアウトレットピンＰ５への印加時に開いたままである。信号導線２２がエネルギを接続要素１０の回路に供給することに専念する時間間隔では、処理ユニット１２は、第２トランジスタＱ２を閉じることを指示し、バスコンデンサＣ２が負荷をかけられることができるように、０Ｖの電圧を前記処理ユニット１２のアウトレットピンＰ５に印加し、信号導線２２が通信機能を再度有する場合、処理ユニット１２がトランジスタＱ２を閉じることを再度指示するまで、その次の瞬間に電流を回路に供給し、それぞれの接続要素１０に電圧を加えるために通信を中断する。
【００３５】
図７は、制御ユニット３に動作可能に関連付けられ、マスタタイプの接続要素のために提案された回路の構成形態を示し、前記接続要素１０は、負荷に関連付けられたタイプの接続要素１０のためのすでに議論された構成要素の他に、処理ユニット１２のアウトレットＰ４が−Ｖｃｃ電圧を有している間、開状態のままである第３トランジスタＱ３を含み、通常のデータ送受信を可能にする。回路の加電圧のために設計された時間間隔では、処理ユニット１２は、第３トランジスタＱ３に閉じるように指示し、０Ｖの電圧をピンＰ４に印加し、第２コンデンサＣ２に蓄積され電源１７によって発生された負荷が、信号導線２２に供給されることができるようにする。同時に、負荷に関連付けられた本システムの他の接続要素１０は、その個別蓄積コンデンサへのエネルギの入力を可能にする。
【００３６】
通信および加電圧間隔のために設計された同期性は、電力ネットワーク２から実行され、その結果、たとえば正の半サイクルで、信号導線２２は通信で動作する。この状態では、マスタとして働いている接続要素１０は全て、第３トランジスタＱ３にやはり開状態のままであるように指令する。通信は、マスタスレーブプロトコルの知られている概念によって、通常発生する。負の半サイクルでは、通信は発生せず、したがって、すべての第１通信トランジスタＱ１は開状態であり、各接続要素１０の処理ユニット１２は第２トランジスタＱ２（図６）に閉状態に入るように指示し、電流がそこを流れることができるようにし、同時に、マスタとして働いている接続要素１０は、第３トランジスタＱ３に閉じるように指示し、蓄積された発生エネルギが、スレーブとして働いている接続要素１０の方に流れることができるようにし、蓄積された発生エネルギを供給する。スレーブとして働いている接続要素１０と、マスタとして働いている接続要素１０の両方は、電気ネットワーク２の電圧がゼロを通り過ぎるときに同期性に導かれる。
【００３７】
電気ネットワーク２の半サイクルは接続要素１０の回路にエネルギを供給することに専念するので、残りの時間は、５０Ｈｚの、すなわち、信号ビットを考慮して、毎秒５０ビットまたは毎秒約５バイトの転送レートのネットワーク内での通信のために利用可能な５０半サイクルのものである。基本的指令は、スイッチをオンにすることおよびスイッチをオフにすることであるので、制御された接続要素１０のアドレスおよびフル指令を単一バイトで送信することが可能であり、１つのバイトが応答とみなされる場合は、毎秒２つの指令が可能である。利用されるプロトコルは、マスタとして働く接続要素１０による検査文字の一定の供給を含むべきであり、それができない場合は、各スレーブまたは制御された接続要素１０は、予期しない中断が通信回線に発生する可能性があるので、安全のためにそれぞれの負荷のスイッチをオフにしなければならない。
【００３８】
上記で説明された実施形態は、制御されたタイプであって、負荷をアクティブにする接続要素１０を包含する。しかし、本発明の範囲は、スイッチ、デジタルおよびアナログセンサ、サーモスタットなどの前記接続要素が入力信号を受信するように、前記加電圧システムを備えた機器の動作状態を表す信号を提供する少なくとも１つのセンサに制御ユニット３を動作可能に接続する接続要素１０まで拡張されることもできることを理解すべきである。
【図面の簡単な説明】
【００３９】
【図１】制御ユニット、電力ネットワーク、およびその中のいくつかの負荷の間の配線が従来技術に従って構成された冷蔵庫を概略的に示す図である。
【図２】制御ユニット、電力ネットワーク、およびその中のいくつかの負荷の間の配線が本発明に従って構成された冷蔵庫を概略的に示す図である。
【図３】本発明に従って構成された、電子制御を備えた制御ユニットを介して負荷に電圧を加えるためのシステムの実施形態を概略的に示す図である。
【図４】本発明の負荷に電圧を加えるためのシステムの他の実施形態を概略的に示す図である。
【図５】本発明の負荷に電圧を加えるシステムの接続要素の電子回路の第１実施形態を概略的に示す図である。
【図６】本発明の負荷に電圧を加えるシステムの接続要素の電子回路の第２実施形態を概略的に示す図である。
【図７】本発明の負荷に電圧を加えるシステムの制御ユニットに関連付けられた接続要素の電子回路の実施形態を概略的に示す図である。
【図１】
2007536885.tif 000003
【図２】
2007536885.tif 000004
【図３】
2007536885.tif 000005
【図４】
2007536885.tif 000006
【図５】
2007536885.tif 000007
【図６】
2007536885.tif 000008
【図７】
2007536885.tif 000009
【国際調査報告】
2007536885.tif 000010
2007536885.tif 000011